(57)【要約】【課題】反転装置用のレシーブ部材上へのローラーからのシート送り出しを改良すること。【解決手段】本発明はシート反転装置に関し、この装置は、シートを収容するためのレシーブ部材と、作動中においてシートの反転移動によって画定される容積である反転容積と、レシーブ部材上の反転容積内の回転軸回りにシートを反転するための反転要素とを備え、上記反転容積に近接して配置された放電要素をさらに備え、この放電要素は、回転軸方向にほぼ垂直な方向に延びるベースを有し、および反転容積の方向に延びる末端部を備える複数電極を有する。本発明はまた、シートスタック装置および画像再生装置に関する。【選択図】図３Ａ
2008137813.tif 000002
【特許請求の範囲】
【請求項１】
シート反転装置であって、
シートを収容するためのレシーブ部材と、
作動中においてシートの反転移動によって画定される容積である反転容積と、
レシーブ部材上の反転容積内の回転軸回りにシートを反転するための反転要素と、
を備えてなり、
シート反転装置が前記反転容積に近接して配置された放電要素をさらに備え、放電要素が、回転軸方向にほぼ垂直な方向に延びるベースを有し、および反転容積の方向に延びる末端部を備える複数電極を有する、
ことを特徴とする、シート反転装置。
【請求項２】
複数電極の各々が、反転容積の方向を指す鋭い末端部を有する、請求項１に記載のシート反転装置。
【請求項３】
複数電極の各々が、３０°より小さい先端角度を有する、請求項２に記載のシート反転装置。
【請求項４】
放電要素が、アース電位に電気的に接続されている、請求項１から３のいずれか一項に記載のシート反転装置。
【請求項５】
前記複数電極が、ピン電極を備える、請求項１から４のいずれか一項に記載のシート反転装置。
【請求項６】
前記複数電極の各々が、導電性外側面を備えたファイバ構造体を備える、請求項１から５のいずれか一項に記載のシート反転装置。
【請求項７】
導電性外側面が、カーボンを含む、請求項６に記載のシート反転装置。
【請求項８】
放電要素が、シートに対する横方向位置が調整可能であるように移動可能に配置されている、請求項１から７のいずれか一項に記載のシート反転装置。
【請求項９】
請求項１から８のいずれか一項によるシート反転装置を備える、シートスタック装置。
【請求項１０】
請求項９によるシートスタック装置を備える、画像再生装置。
【発明の詳細な説明】
【技術分野】
【０００１】
本発明はシート反転装置に関し、この装置は、シートを収容するためのレシーブ部材と、作動中においてシートの反転移動によって画定される容積である反転容積と、レシーブ部材上の反転容積内の回転軸回りにシートを反転するための反転要素とを備える。本発明はまた、シートスタック装置および画像再生装置に関する。
【背景技術】
【０００２】
この種の装置は、仏国特許第２７６０７３３号明細書に記載されている。本装置は反転ホイールを用いて、レシーブ部材上に反転された方向でシートを積み重ねる。反転ホイールは周囲に、シートの一部分を収容するスリットを備える。シートをスリットからレシーブ部材上に解放するために、当接部が設けられる。しかし、この知られている装置の欠点は、特定の種類のシート、詳細には回転方向に剛性の低い柔軟なシートがレシーブ部材上に正確にローラーから送り出されず、結果として不揃いスタックを生じるか、または紙詰まりのような装置の停止を引き起こすこともある点である。
【特許文献１】仏国特許第２７６０７３３号明細書
【特許文献２】特開昭５７／１４５７６５号公報
【特許文献３】米国特許第４５０１４１８号明細書
【発明の開示】
【発明が解決しようとする課題】
【０００３】
本発明の目的は、反転装置用のレシーブ部材上へのローラーからのシート送り出しを改良することである。この目的を達成するためにシート反転装置が設けられ、この反転装置はさらに、上記反転容積に近接して配置された放電要素を備え、この放電要素は、回転軸方向にほぼ垂直な方向に延びるベースを有し、および反転容積の方向に延びる末端部を有する複数電極を有する。反転容積に近接して配置されたこのような放電素子の実装により、反転されたシートのローラーからの送り出し機能が向上する結果として、反転装置の信頼性は大幅に向上させることが認められる。放電要素と反転するシートとの間に物理的接触のない場合であっても、シートのローラー送り出しは、軟質シートであっても、大幅に改良される。
【課題を解決するための手段】
【０００４】
本発明による装置の別の実施形態では、複数電極の各々が反転容積の方向を指す鋭い末端部を有する。反転容積の方向を指す鋭い末端部はさらに、反転するシートのローラー送り出しのエラー発生の危険性をさらに減少することによって、シート反転装置の信頼性をさらに向上することが認められている。
【０００５】
本発明による装置の別の実施形態では、複数電極の各々は３０°より小さい先端角度を有する。３０°未満の先端角度は、本発明で提示される装置における状態に対しては、すなわちローラー送り出し問題を満足に克服するために使用される材料および発生する距離に対しては十分に鋭いことが見出された。１５°以下の先端角度を実現することが好ましい。
【０００６】
本発明による装置の別の実施形態では、放電要素はアース電位に電気的に接続されている。放電要素をアースに接続することにより、反転中または反転後のローラー送り出しでのシート破壊の危険性が低減する。
【０００７】
本発明による装置の別の実施形態では、上記複数電極はピン電極を備える。ピン電極は一般に、反転するシートに比べて相対的に剛性である。反転容積に近接したピン電極を備えた放電要素は、反転装置の信頼性に良好な影響を与える。ピン電極の構造は、フライス加工によって単一加工品から、例えばステンレス鋼または任意の他の導電性材料または導電性表面を有する材料から形成できるため、費用対効果を高くすることができる。
【０００８】
本発明による装置の別の実施形態では、上記複数電極の各々は導電性外側面を備えたファイバ構造体を備える。ファイバ構造体は導電性外側面に対して柔軟なベースを提供する。ファイバはそれ自体が導電性である必要はない。電極のこの種類の機械的柔軟性は、放電要素の位置合わせにおいて、様々なシートサイズの処理に関して追加の柔軟性を提供する。放電要素は末端部分が反転容積の直ぐ外側に位置合わせされるように配置されるのが好ましいが、この種類の機械的に柔軟な電極は、末端部分が反転容積のわずかに内側に位置合わせされても、まっすぐなスタックの形成を妨げない。シートがこのような電極の小部分に接触する場合、シートは自然に曲がり、ほとんど妨害されることなく反転移動を続行する。導電性外側面はカーボンまたは任意の他の適切な導電材料を含んでもよい。
【０００９】
本発明による装置の別の実施形態では、放電要素は、シートに対する横方向位置が調整可能であるように移動可能に配置されている。放電要素の、詳細には放電要素上の電極の末端部分の横方向に調整可能な位置合わせを可能にすることによって、様々なシートサイズを処理できる。例えば、シートの反転移動を妨げず、および効率的に機能するために十分な近さに位置するように、電極の末端部分が反転容積の直ぐ外側に配置されるのが好ましい。横方向位置の調整は手動であっても、あるいは測定器または他の電気信号、例えばこのような反転装置に連結されたプリンタのプリンタコントローラからの信号にしたがって自動化されてもよい。
【００１０】
本発明による装置の別の実施形態では、シート反転装置はさらに、シートの反転移動の方向の空気流を生成するモジュールを備えることにより、シートの反転移動の少なくとも一部の間においてシートの反転を支援するようにしている。空気流を生成するモジュールは、例えば、シートの反転移動の方向に送風する通風機、または反転方向における反転移動の少なくとも一部の間においてシートを吸引する吸引機を備えてもよい。空気流を生成するための吸引または送風または他のモジュールの組み合わせもまた実現可能である。
【００１１】
次に、本発明は以下の例および図面を参照して説明される。
【発明を実施するための最良の形態】
【００１２】
図１は、反転装置を備えたシートスタック装置を示す概略斜視図である。このシートスタック装置２００は、シートのスタック２０５を形成するためにシートを収容するレシーブ部材２０１を備える。シートスタック装置はさらに、反転ホイール２０２などの回転可能な反転要素を備える。この反転ホイールはその周囲に配置された２つのスリット２１０を有する。これらのスリット２１０は、シートが入力方向Ｉに反転ホイール２０２の方向に供給され、およびスリット２１０によって少なくとも部分的に収容されるように構成されている。反転ホイール２０２は、駆動モータ２０３によって回転駆動され、また駆動シャフト２０４に連結されている。反転ホイール２０２を回転方向Ｒに回転することによって、シートはレシーブ部材２０１の上面または先に形成されたスタック２０５の上に放出され、配置される。シートスタック装置は比較的高い誤ったスタック形成を発生する。
【００１３】
図２は、誤ったスタック形成を引き起こすシートスタック装置の動作中の問題点を示す。シートの前縁部はスリット２１０によって収容され、駆動されて反転される。シートの反転の最後の部分の間において、シートはレシーブ部材２０１上に形成されたスタック２０５の上面上にローラーから送り出される問題点を有する。詳細には回転方向に剛性の比較的低い柔軟なシートが反転の間にそれ自体の上に折れ曲がる傾向があり、スタック２０５の上面上へのスムースなローラー送り出しを妨げる。この結果、シートの不揃いなスタックを形成し、装置の停止を引き起こす可能性もある。
【００１４】
図３Ａは、本発明による反転装置を備えるシートスタック装置の実施形態の概略斜視図である。シートスタック装置１００はシート反転要素としての回転可能なシート反転ホイール１０２を備える。このシート反転ホイール１０２はその周囲に配置された２つのスリット１１０を有し、これらのスリット１１０は、入ってくるシートの少なくとも一部を収容する。シート反転ホイール１０２は駆動シャフト１０４を介して駆動モータ１０３に接続されている。シートレシーブ部材１０１はシートスタック１０５のシートを収容するために設けられる。反転ホイール１０２に対するシートレシーブ部材１０１の高さは、シートがレシーブ部材１０１または既に形成されたシートスタック１０５の上面上に制御されて放出される間の、拡大したシート収容能力を可能にするように適応できる。あるいは、シートレシーブ部材１０１は反転ホイール１０２に対して一定高さを有してもよい。シート反転装置はさらに、反転容積に近接して配置された２つの放電要素１５０、１５１を備える。この反転容積は、シートの初期位置からレシーブ部材１０１または先に形成されたシートスタック１０５の上面上の反転された位置までの動作におけるシートの反転移動の間に、シート１１１が実際に移動する容積である。放電要素１５０、１５１は、反転ホイール１０２の回転軸方向にほぼ垂直な方向に延びるベース１１２、１１３を有する。放電要素１５０、１５１は、反転容積の方向に延びる末端部を有するベース１１２、１１３上に配置された複数電極１２０を有する。放電要素１５０、１５１は、フレームマウント１１５、１１６により装置のフレーム（図示せず）上に取り付けられる。動作中、入ってくるシートは、供給源または任意のシート処理ユニット（図示せず）からシート反転ホイール１０２に向かってＡ方向に供給される。図示された状態では、シート１１１の前縁部が、略半回転するために駆動モータ１０３を駆動することによって回転方向Ｒの方向に回転される、スリット１１０内に収容されている。この時点で、シート１１１の前縁部は、反転ホイール１０２の２つの部分の間に配置された当接部（図示せず）によってスリット１１０から解放される。反転ホイール１０２をさらに回転させることにより、シート１１１は先に形成されたスタック１０５の上面上に放出されて、シートの最初の向きに対して反転された向きで収容される。放電要素１５０、１５１の電極１２０は、シート１１１の反転の間に放電する、反転容積の方向を指す鋭い末端部を有する。電極１２０は導電性である。導電電極１２０はベース１１２、１１３に電気的に接続されている。ベース１１２、１１３はアース電位に接続されている。放電要素１５０、１５１は、単一加工品から、例えばステンレス鋼または任意の他の導電性材料から形成された一体要素として構成されるが、あるいは、電極１２０が個々にベース１１２、１１３上に取り付けられる、モジュールアセンブリとして構成されてもよい。
【００１５】
図３Ｂは、図３Ａのシートスタック装置において使用するための電極の拡大された概略上面図である。電極１２０およびベース１１３はフライス加工によってステンレス鋼の単一部品から形成される。先端角度αは、放電を可能にするのに十分な鋭さとなるように、この場合は３０°未満の、好ましくは１５°未満の急激な曲線でなければならない。
【００１６】
図４Ａは本発明による反転装置を備えたシートスタック装置の実施形態の概略斜視図である。このシートスタック装置は図３で示された装置と等しいが、詳細には、放電要素がファイバ電極１３０で実現されている。ファイバ電極１３０は、放電要素１５０、１６０のベース１１２、１１３上に取り付けされている。各ファイバ電極１３０は導電性外側面を備えた柔軟なファイバ構造体を備える。ファイバ電極１３０はベース１１２、１１３上に個々にまたはグループで取り付けられてもよい。
【００１７】
図４Ｂは、図４Ａのシートスタック装置において使用するための電極の拡大された概略上面図である。ファイバ電極１３０は、ベース１１３に固定されたファイバ構造体１３１によってベース１１３上に取り付けられる。柔軟なファイバ構造体１３１は導電性表面層１３５を備える。導電性外側面１３５はアース電位に接続されている。実際には、ファイバ電極１３０は図４Ｂに示されるよりも長く、軟質針または毛髪状物体と類似である。ファイバ電極１３０はベース１１３上に個々に取り付けられ、あるいは、ファイバ電極１３０のクラスタのグループで取り付けられてもよい。この場合、アース電位との接続もまた一括であってもよい。
【００１８】
図５は反転容積内の反転シートを示す概略図である。本発明によるシート反転装置（図示せず）を使用して反転されるシート１１は、反転容積１０を通って移動する。この反転容積１０は、動作におけるシートの最初の位置１１から反転された位置１１’へのシートの反転移動の間に、シート１１が実際に移動する容積である。反転要素（図示せず）は、回転方向Ｒに太い破線で示されるように、シート１１を回転軸回りに反転する。反転容積１０は、位置１１’の方向へのシートの反転移動の間におけるシート１１の累積された位置によって範囲が決まる。反転容積１０は破線の容積によって示される。本発明による反転装置では、放電要素は反転容積に近接して配置される。実際には、様々なシートサイズが処理され、積み重ねられ得る。したがって、放電要素は一般に、最大幅を有するシートサイズの反転容積に近接して配置される。電極の末端部が十分に鋭い場合、電極はより小さいシートサイズへの放電を可能にする。
【００１９】
あるいは、放電要素は、放電要素の横方向位置が実際のシートサイズに応じて変化できるように、移動可能に配置されてもよい。
【００２０】
図６Ａから図６Ｄは本発明による反転装置の複数の実施形態の概略側面図である。図６Ａは、放電要素１５０がレシーブ部材１０１の実質長さに沿って配置されている実施形態を示す。本実施形態は、図３で詳細に示されている。図６Ｂは、放電要素１５０が反転容積１０の比較的高い位置の比較的短い範囲に配置されている。図６Ｃは、放電要素１５０が、レシーブ部材１０１に対して下方に傾斜してレシーブ部材１０１の実質長さに沿って配置されている実施形態を示す。本実施形態は、図４で詳細に示されている。図６Ｃは、放電要素１５０が、レシーブ部材１０１に対して上方に傾斜してレシーブ部材１０１の実質長さに沿って配置されている実施形態を示す。
【００２１】
図６Ａから図６Ｄの実施形態は前述の電極のいずれを用いて実現されてもよい。当業者であれば、提示された実施形態の任意の組み合わせまたは反復により実用の具体的装置を製作できる、ことは明らかであろう。
【００２２】
電極の末端部分は反転容積１０内にわずかに延び、これにより反転シートのわずかに接触するが、好ましくは、末端部分は反転容積の直ぐ外側に近接して配置される。
【図面の簡単な説明】
【００２３】
【図１】反転装置を備えるシートスタック装置を示す概略斜視図である。
【図２】動作中の反転装置を備えるシートスタック装置を示す概略斜視図である。
【図３Ａ】本発明による反転装置を備えるシートスタック装置の実施形態の概略斜視図である。
【図３Ｂ】本発明による反転装置を備えるシートスタック装置の実施形態において使用するための電極の拡大された概略上面図である。
【図４Ａ】本発明による反転装置を備えるシートスタック装置の実施形態の概略斜視図である。
【図４Ｂ】本発明による反転装置を備えるシートスタック装置の実施形態において使用するための電極の拡大された概略上面図である。
【図５】反転容積内の反転シートを示す概略図である。
【図６Ａ】本発明による反転装置の実施形態の概略側面図である。
【図６Ｂ】本発明による反転装置の実施形態の概略側面図である。
【図６Ｃ】本発明による反転装置の実施形態の概略側面図である。
【図６Ｄ】本発明による反転装置の実施形態の概略側面図である。
【符号の説明】
【００２４】
１０  反転容積
１１  シートの最初の位置
１１’  シートの反転された位置
１００、２００  シートスタック装置
１０１、２０１  レシーブ部材
１０２、２０２  反転ホイール
１０３、２０３  駆動モータ
１０４、２０４  駆動シャフト
１０５、２０５  シートスタック
１１０、２１０  スリット
１１１  シート
１１２、１１３  ベース
１１５、１１６  フレームマウント
１２０  電極
１３０  ファイバ電極
１３１  ファイバ構造体
１３５  導電性表面層
１５０、１５１  放電要素
【図１】
2008137813.tif 000003
【図２】
2008137813.tif 000004
【図３Ａ】
2008137813.tif 000005
【図３Ｂ】
2008137813.tif 000006
【図４Ａ】
2008137813.tif 000007
【図４Ｂ】
2008137813.tif 000008
【図５】
2008137813.tif 000009
【図６Ａ】
2008137813.tif 000010
【図６Ｂ】
2008137813.tif 000011
【図６Ｃ】
2008137813.tif 000012
【図６Ｄ】
2008137813.tif 000013
【外国語明細書】
2008137813.tif 000014
2008137813.tif 000015
2008137813.tif 000016
2008137813.tif 000017
2008137813.tif 000018
2008137813.tif 000019
2008137813.tif 000020
2008137813.tif 000021
2008137813.tif 000022
2008137813.tif 000023
2008137813.tif 000024
2008137813.tif 000025
2008137813.tif 000026
2008137813.tif 000027
2008137813.tif 000028